【手続補正書】
【提出日】平成19年11月30日(2007.11.30)
【手続補正１】
【補正対象書類名】明細書
【補正対象項目名】特許請求の範囲
【補正方法】変更
【補正の内容】
【特許請求の範囲】
【請求項１】  生物学的標本内の１個又はそれ以上の目標細胞の反応を選択的に誘発する選択的細胞反応誘発方法において、
前記生物学的標本における視界内で細胞フレームを照明し、ただし前記視界には、複数個の細胞フレームが含まれるものとし、
前記細胞フレームの画像を撮り込み、
前記画像内の前記１個又はそれ以上の目標細胞の位置を決定し、
前記１個又はそれ以上の目標細胞の位置にエネルギビームを偏向させる
ことよりなり、このエネルギビームは前記１個又はそれ以上の目標細胞のうち少なくとも１個に反応を誘発するに十分なものとした
ことを特徴とする方法。
【請求項２】  前記１個又はそれ以上の目標細胞の位置を決定するステップは、前記１個又はそれ以上の目標細胞に付けられたラベルの有無によって決定するものとした請求項１記載の方法。
【請求項３】  前記反応を、細胞壊死とした請求項１記載の方法。
【請求項４】  前記反応を、光学的削孔とした請求項１記載の方法。
【請求項５】  前記反応を、感光試薬の活性化とした請求項１記載の方法。
【請求項６】  前記反応を、細胞成分の非活性化とした請求項１記載の方法。
【請求項７】  前記反応を、制御運動とした請求項１記載の方法。
【請求項８】  前記反応を、蛍光剤の励起とした請求項１記載の方法。
【請求項９】  前記反応を、フォトブリーチングとした請求項１記載の方法。
【請求項１０】  前記反応を、内部分子かご解体とした請求項１記載の方法。
【請求項１１】  前記反応を死に無関係なものとした請求項１記載の方法。
【請求項１２】  容器に保持した細胞群における個別の細胞の反応を迅速に誘発する反応迅速誘発方法において、
細胞群における第１視界内の第１細胞フレームを照明し、ただし前記第１視界には、複数個の細胞フレームが含まれるものとし、
前記第１視界内の前記第１細胞フレームの画像を撮り込み、
前記画像を参照して前記第１細胞フレーム内における第１個別細胞の位置を決定し、
前記第１個別細胞の位置にエネルギビームを偏向する
ことよりなり、前記エネルギビームは前記第１個別細胞のうちの少なくとも１個に反応を誘発するに十分な量とした
ことを特徴とする方法。
【請求項１３】  更に、
前記第１視界内の第２細胞フレームの画像を撮り込み、
前記画像を参照して前記第２細胞フレームの第２個別細胞の位置を決定し、
前記第２個別細胞の位置にエネルギビームを偏向し、前記エネルギビームは前記第２個別細胞のうちの少なくとも１個に反応を誘発するに十分な量とした
請求項１２記載の方法。
【請求項１４】  更に、
前記細胞群の第２視界内の第１細胞フレームを照明し、
前記第２視界内の第１細胞フレームの画像を撮り込み、
前記画像を参照して前記第２視界内における第１細胞フレームの第３個別細胞の位置を決定し、
前記第３個別細胞の位置にエネルギビームを偏向し、前記エネルギビームは前記第３個別細胞のうちの少なくとも１個に反応を誘発するに十分な量とした
請求項１２記載の方法。
【請求項１５】  前記第２視界内の前記第１細胞フレームを照明するステップは、前記容器を移動し、また前記第１細胞フレームを照明するものとした請求項１４記載の方法。
【請求項１６】  前記反応を、細胞壊死とした請求項１４記載の方法。
【請求項１７】  前記反応を、光学的削孔とした請求項１４記載の方法。
【請求項１８】  前記反応を、感光試薬の活性化とした請求項１４記載の方法。
【請求項１９】  前記反応を、細胞成分の非活性化とした請求項１４記載の方法。
【請求項２０】  前記反応を、制御運動とした請求項１４記載の方法。
【請求項２１】  前記反応を、蛍光剤の励起とした請求項１４記載の方法。
【請求項２２】  前記反応を、フォトブリーチングとした請求項１４記載の方法。
【請求項２３】  前記反応を、内部分子かご解体とした請求項１４記載の方法。
【請求項２４】  前記反応を死とは無関係なものとした請求項１４記載の方法。
【請求項２５】  生物学的標本における１個又はそれ以上目標細胞に反応を選択的に誘発する選択的細胞反応誘発方法において、
前記生物学的標本における複数個の細胞フレームよりなる視界のうち一つの視界に対して走査レンズを合焦し、
前記視界内の１個又はそれ以上の細胞フレームを照明し、
前記視界における第１細胞フレームの画像を撮り込み、
前記第１細胞フレームにおける前記１個又はそれ以上の目標細胞の位置を決定し、
前記１個又はそれ以上の目標細胞のうち少なくとも１個に反応を誘発するに十分なエネルギビームを発射し、
前記第１細胞フレームにおける前記１個又はそれ以上の目標細胞の位置に前記エネルギビームを偏向させる
ことよりなることを特徴とする方法。
【請求項２６】  前記反応を、細胞壊死とした請求項２５記載の方法。
【請求項２７】  前記反応を、光学的削孔とした請求項２５記載の方法。
【請求項２８】  前記反応を、感光試薬の活性化とした請求項２５記載の方法。
【請求項２９】  前記反応を、細胞成分の非活性化とした請求項２５記載の方法。
【請求項３０】  前記反応を、制御運動とした請求項２５記載の方法。
【請求項３１】  前記反応を、蛍光剤の励起とした請求項２５記載の方法。
【請求項３２】  前記反応を死とは無関係なものとした請求項２５記載の方法。
【請求項３３】  前記第１細胞フレームの画像を撮り込むステップは、ラベル付き細胞の画像を撮り込むものとした請求項２５記載の方法。
【請求項３４】容器に保持した生物学的標本における細胞の画像を撮像する撮り込み装置において、
視界を画定する走査レンズと、
前記視界を、容器内の生物学的標本における複数個の細胞フレームに分割するコンピュータシステムと、
前記視界内の細胞フレームを照明する照明源と、
前記細胞フレームの画像を撮り込む画像撮り込みシステムと、
前記容器を移動させることなく、前記視界内の第２細胞フレームを撮像する反射または回折素子と、および
前記画像を参照して前記生物学的標本における１個またはそれ以上の細胞の組織学的または物理学的特性を決定するコマンドと
を具えたことを特徴とする画像撮り込み装置。
【請求項３５】  前記反射または回折素子を、１個もしくはそれ以上の電流計制御ミラー、１個もしくはそれ以上の圧電傾動プラットフォーム、または１個もしくはそれ以上の音響光学的転向器とした請求項３４記載の装置。
【請求項３６】  前記反射または回折素子を、１個もしくはそれ以上の電流計制御ミラーとした請求項３５記載の装置。
【請求項３７】  更に、前記走査レンズに対して前記生物学的標本の位置を移動させる移動手段を設けた請求項３４記載の装置。
【請求項３８】  前記走査レンズをＦ‐シータ設計とした請求項３４記載の装置。
【請求項３９】  前記視界の直径を、８ｍｍまたはそれ以上とした請求項３４記載の装置。
【請求項４０】  前記視界内における複数個の細胞フレームの数を４個またはそれ以上とした請求項３９記載の装置。
【請求項４１】  前記視界内における複数個の細胞フレームの数を４個またはそれ以上とした請求項３４記載の装置。
【請求項４２】  前記容器は、装置が適正な位置決めおよび合焦を確実に行うようにする特別なマークを有するものとした請求項３４記載の装置。
【請求項４３】  前記容器は、装置が容器を認識できるようにする特別なマークを有するものとした請求項３４記載の装置。
【請求項４４】  前記照明源は、非蛍光細胞の画像を得やすくするバック照明を生ずるものとした請求項３４記載の装置。
【請求項４５】  前記複数個の細胞フレームを、２個またはそれ以上の細胞とした請求項３４記載の装置。
【請求項４６】  前記反射または回折素子を、反射素子とした請求項３４記載の装置。
【請求項４７】  前記反射または回折素子を、回折素子とした請求項３４記載の装置。
【請求項４８】容器に保持した生物学的標本における目標の画像を撮像する撮り込み装置において、
視界を画定する走査レンズと、
前記視界を、容器内の生物学的標本における複数個の目標フレームに分割するコンピュータシステムと、
前記視界内の目標フレームを照明する照明源と、
前記目標フレームの画像を撮り込む画像撮り込みシステムと、
前記容器を移動させることなく、前記視界内の第２目標フレームを撮像する反射または回折素子と、および
前記画像を参照して前記生物学的標本における目標の特性を決定するコマンドと
を具えたことを特徴とする画像撮り込み装置。
【請求項４９】  前記目標を、細胞とした請求項４８記載の装置。
【請求項５０】  前記目標を、細胞の成分とした請求項４８記載の装置。
【請求項５１】  前記目標を、蛋白質または遺伝子成分とした請求項４８記載の装置。
【請求項５２】  前記視界の直径を、８ｍｍまたはそれ以上とした請求項４８記載の装置。
【請求項５３】  前記視界内における複数個の目標の数を４個またはそれ以上とした請求項５２記載の装置。
【請求項５４】  前記２個またはそれ以上のフレームは、それぞれ、複数個の目標を含むものとした請求項５２記載の装置。
【請求項５５】  前記視界内における複数個の目標の数を４個またはそれ以上とした請求項４８記載の装置。
【請求項５６】  前記２個またはそれ以上のフレームは、それぞれ、複数個の目標を含むものとした請求項４８記載の装置。
【請求項５７】  前記照明源は、非蛍光細胞の画像を得やすくするバック照明を生ずるものとした請求項４８記載の装置。
【請求項５８】  前記走査レンズをＦ‐シータ設計とした請求項４８記載の装置。
【請求項５９】  前記反射または回折素子を、反射素子とした請求項４８記載の装置。
【請求項６０】  前記反射または回折素子を、回折素子とした請求項４８記載の装置。
【請求項６１】容器に保持した生物学的標本における細胞の画像を撮像する撮り込み装置において、
視界を画定する走査レンズと、
前記視界を、容器内の生物学的標本における複数個の細胞フレームに分割するコンピュータシステムと、
前記視界内の細胞フレームを照明する照明源と、
前記細胞フレームの画像を撮り込む画像撮り込みシステムと、および
前記画像を参照して前記生物学的標本における細胞の組織学的または物理学的特性を決定するコマンドと
を具えたことを特徴とする画像撮り込み装置。
【請求項６２】  前記視界の直径を、８ｍｍまたはそれ以上とした請求項６１記載の装置。
【請求項６３】  前記視界内における複数個の細胞フレームの数を４個またはそれ以上とした請求項６２記載の装置。
【請求項６４】  前記視界内における複数個の細胞フレームの数を４個またはそれ以上とした請求項６１記載の装置。
【請求項６５】  さらに、照明する手段であって、前記容器を移動することなく前記第１視界内の第２細胞フレームを撮像する手段を設けた請求項６１記載の装置。
【請求項６６】  前記照明源は、非蛍光細胞の画像を得やすくするバック照明を生ずるものとした請求項６１記載の装置。
【請求項６７】  前記走査レンズをＦ‐シータ設計とした請求項６１記載の装置。